(57)【要約】【課題】カップリングの移動を簡単に規制することができ、また規制の解除も簡単に行うことができるコネクタ内蔵プラグを提供する。【解決手段】筒状をなすバレル４１内にコネクタが内蔵され、バレル４１の前端側の外周に、バレル４１の軸心方向に移動可能とされてカップリング４３が取り付けられているコネクタ内蔵プラグ４０は、バレル４１の外周に形成された溝４４に着脱自在に装着されてバレル４１の後端方向へのカップリング４３の移動を規制するＣリング５０を備える。Ｃリング５０は樹脂材よりなり、Ｃリング５０のＣ字の中間部５１の外周側部分５２は厚さ方向前後に突出されて厚さが厚くされている。【選択図】図３
2017111228.tif 000002
【特許請求の範囲】
【請求項１】
筒状をなすバレル内にコネクタが内蔵され、前記バレルの前端側の外周に、前記バレルの軸心方向に移動可能とされてカップリングが取り付けられているコネクタ内蔵プラグであって、
前記バレルの外周に形成された溝に着脱自在に装着されて前記バレルの後端方向への前記カップリングの移動を規制するＣリングを備え、
前記Ｃリングは樹脂材よりなり、
前記ＣリングのＣ字の中間部の外周側部分は厚さ方向前後に突出されて厚さが厚くされていることを特徴とするコネクタ内蔵プラグ。
【請求項２】
請求項１記載のコネクタ内蔵プラグにおいて、
前記ＣリングのＣ字の両端の外周側部分はそれぞれ厚さ方向前後に突出されて厚さが厚くされていることを特徴とするコネクタ内蔵プラグ。
【請求項３】
請求項１又は２記載のコネクタ内蔵プラグにおいて、
前記Ｃリングの外周がなす円弧の中心は、前記Ｃリングの内周がなす円弧の中心に対し、前記中間部の中央方向にずらされていることを特徴とするコネクタ内蔵プラグ。
【請求項４】
請求項１乃至３記載のいずれかのコネクタ内蔵プラグにおいて、
前記Ｃリングは内周がなす円弧の中心と前記中間部の中央とを通る中心線を回転軸として２回対称性を有することを特徴とするコネクタ内蔵プラグ。
【請求項５】
請求項１乃至４記載のいずれかのコネクタ内蔵プラグにおいて、
前記中間部の外周側部分に、厚さ方向に貫通する貫通穴が形成されていることを特徴とするコネクタ内蔵プラグ。
【請求項６】
請求項１乃至５記載のいずれかのコネクタ内蔵プラグにおいて、
前記コネクタは光コネクタであることを特徴とするコネクタ内蔵プラグ。
【発明の詳細な説明】
【技術分野】
【０００１】
この発明はコネクタを内蔵したコネクタ内蔵プラグに関する。
【背景技術】
【０００２】
図５はこの種のコネクタ内蔵プラグの従来例として特許文献１に記載されている構成を示したものであり、図５中、１１はバレルを示し、１２はカップリングを示す。図５では隠れて見えないが、筒状をなすバレル１１内には光コネクタが内蔵されている。カップリング１２はバレル１１の前端側の外周に、バレル１１の軸心方向に移動可能とされて取り付けられている。
【０００３】
このコネクタ内蔵プラグ１０はプッシュプル接続タイプのものであり、相手方レセプタクルとの接続時にはバレル１１を掴んで押し込むことにより１動作で接続することができ、相手方レセプタクルからの取り外し時にはカップリング１２を掴んで後方に引っ張ることで１動作で引き抜くことができるものとなっている。
【０００４】
バレル１１の外周には、カップリング１２が所定位置まで前進してコネクタ内蔵プラグ１０が正しく相手方レセプタクルと接続されていることを目視で確認することができるように、カップリング１２が所定位置まで前進した際に露出する溝１３が目印として形成されている。
【０００５】
なお、このようにカップリングが所定位置まで前進した際に露出する溝をバレルの外周に設け、溝の視認によりコネクタ内蔵プラグが相手方レセプタクルと正しく接続されていることを確認することは特許文献２にも記載されている。
【先行技術文献】
【特許文献】
【０００６】
【特許文献１】意匠登録第１５２４４９９号公報
【特許文献２】特開２０１３−２３５１９３号公報
【発明の概要】
【発明が解決しようとする課題】
【０００７】
ところで、光コネクタをバレル内に内蔵して防水構造をなすコネクタ内蔵プラグは例えば携帯電話の基地局などの屋外設備で使用されており、図５に示したコネクタ内蔵プラグ１０もそのような用途に使用されるものとなっている。
【０００８】
携帯電話の基地局でのコネクタ内蔵プラグ１０の使用は、高所での接続作業が余儀なくされ、また一般にコネクタ内蔵プラグ１０を垂直方向、上向きにして基地局側のレセプタクルと接続する形態となっている。そして、このような屋外での使用環境からコネクタ内蔵プラグ１０を保護し、また基地局側のレセプタクルとの接続状態を確実に維持するために、接続した後にテープ巻きを行って保護、固定するといったことが行われている。
【０００９】
しかるに、このようなテープ巻きを行う際、上述したようにコネクタ内蔵プラグ１０はプッシュプル接続タイプであって、なおかつ上向きに接続されるため、テープ巻き作業を行っている際に、力が下向きにかかり、誤ってカップリング１２を引っ張ってしまうといったことが起きやすく、これによりコネクタ内蔵プラグ１０が不完全な接続状態でテープ巻きを行ってしまうといったことが生じうる。
【００１０】
このため、従来においては図６Ａに示したように基地局側のレセプタクル２０にコネクタ内蔵プラグ１０を接続した後、バレル１１に形成されている目印用の溝１３を利用して図６Ｂに示したように結束バンド１４を装着し、結束バンド１４によってカップリング１２の移動を規制するといったことを行っていた。
【００１１】
図７は結束バンド１４によってカップリング１２の移動を規制した後、コネクタ内蔵プラグ１０がテープ巻きされた状態を示す。図７中、１５は巻かれたテープを示し、３０は基地局を示す。レセプタクル２０は基地局３０の底面に取り付けられている。
【００１２】
このように結束バンド１４をカップリング１２の後端側に装着すれば、カップリング１２の移動を規制することができるものの、高所での結束バンド１４の装着作業は煩わしく、また例えばコネクタ内蔵プラグ１０をレセプタクル２０から取り外す必要が生じた場合、結束バンド１４を取り外さなければならないが、取り外しも容易ではないといった問題がある。
【００１３】
この発明の目的はこのような問題に鑑み、カップリングの移動を簡単に規制することができるようにし、かつ規制の解除も簡単に行うことができるようにしたコネクタ内蔵プラグを提供することにある。
【課題を解決するための手段】
【００１４】
請求項１の発明によれば、筒状をなすバレル内にコネクタが内蔵され、バレルの前端側の外周に、バレルの軸心方向に移動可能とされてカップリングが取り付けられているコネクタ内蔵プラグは、バレルの外周に形成された溝に着脱自在に装着されてバレルの後端方向へのカップリングの移動を規制するＣリングを備え、Ｃリングは樹脂材よりなり、ＣリングのＣ字の中間部の外周側部分は厚さ方向前後に突出されて厚さが厚くされているものとされる。
【００１５】
請求項２の発明では請求項１の発明において、ＣリングのＣ字の両端の外周側部分はそれぞれ厚さ方向前後に突出されて厚さが厚くされているものとされる。
【００１６】
請求項３の発明では請求項１又は２の発明において、Ｃリングの外周がなす円弧の中心は、Ｃリングの内周がなす円弧の中心に対し、前記中間部の中央方向にずらされているものとされる。
【００１７】
請求項４の発明では請求項１乃至３のいずれかの発明において、Ｃリングは内周がなす円弧の中心と前記中間部の中央とを通る中心線を回転軸として２回対称性を有する。
【００１８】
請求項５の発明では請求項１乃至４のいずれかの発明において、前記中間部の外周側部分に、厚さ方向に貫通する貫通穴が形成されているものとされる。
請求項６の発明では請求項１乃至５のいずれかの発明において、コネクタは光コネクタとされる。
【発明の効果】
【００１９】
この発明によるコネクタ内蔵プラグによれば、Ｃリングによってカップリングの移動を簡単に規制することができ、また規制の解除も簡単に行うことができる。
【００２０】
よって、例えば携帯電話の基地局などの屋外設備でコネクタ内蔵プラグが使用され、屋外での使用環境からコネクタ内蔵プラグを保護し、かつ相手方レセプタクルとの接続状態を確実に維持するために、コネクタ内蔵プラグにテープ巻きを行って保護、固定する際、カップリングを誤って引っ張ってしまい、コネクタ内蔵プラグが不完全な接続状態となってしまうことを防止するための作業を、従来の結束バンドを用いていた作業に比し、簡易に行うことができる。
【図面の簡単な説明】
【００２１】
【図１】Ａはこの発明によるコネクタ内蔵プラグの一実施例において、Ｃリングが装着されていない状態の平面図、Ｂはその斜視図。
【図２】Ａはこの発明によるコネクタ内蔵プラグの一実施例が具備するＣリングの正面図、Ｂはその側面図、Ｃ，Ｄはその斜視図。
【図３】Ａはレセプタクルに接続されたコネクタ内蔵プラグにＣリングが装着される様子を示す斜視図、Ｂは相手方のレセプタクルに接続されたコネクタ内蔵プラグにＣリングが装着された状態を示す斜視図。
【図４】Ａはこの発明によるコネクタ内蔵プラグの一実施例を示す平面図、Ｂはその側面図、Ｃはその部分拡大断面斜視図。
【図５】コネクタ内蔵プラグの従来例を示す斜視図。
【図６】Ａは図５に示したコネクタ内蔵プラグがレセプタクルに接続された状態を示す図、ＢはＡの状態のコネクタ内蔵プラグに結束バンドが装着された状態を示す図。
【図７】基地局のレセプタクルに接続されたコネクタ内蔵プラグにテープ巻きが施された状態を示す図。
【発明を実施するための形態】
【００２２】
この発明の実施形態を図面を参照して実施例により説明する。
【００２３】
図１は筒状をなすバレル４１内に光コネクタ４２が内蔵され、バレル４１の前端側の外周に、バレル４１の軸心方向に移動可能とされてカップリング４３が取り付けられているコネクタ内蔵プラグ４０を示したものであり、図１では図示を省略しているが、この例ではこのコネクタ内蔵プラグ４０はカップリング４３の移動を規制するＣリング５０を具備するものとされる。なお、バレル４１、カップリング４３等の構成は図５に示したコネクタ内蔵プラグ１０と同じであり、コネクタ内蔵プラグ４０はプッシュプル接続されるものとなっている。図１中、６０は光ケーブルを示す。
【００２４】
Ｃリング５０は図２に示したような形状を有するものとされ、内周がなす円弧の中心Ｃ１と、Ｃ字の中間部５１の中央とを通る中心線ＣＬを回転軸としてＣリング５０は２回対称性を有するものとされる。Ｃリング５０の外周がなす円弧の中心Ｃ２は、内周がなす円弧の中心Ｃ１に対し、中心線ＣＬ上、中間部５１の中央方向にずらされており、これによりＣリング５０は中間部５１の中央からＣ字の両端に向かって徐々に幅が狭くなるようにされている。図２Ａ中、ｄ１はＣリング５０の内径を示し、ｄ２はＣリング５０の外径を示す。
【００２５】
Ｃリング５０は上記のように中間部５１の中央から両端に向かって徐々に幅が狭くされていることに加え、中間部５１の外周側部分５２及びＣ字の両端の外周側部分５３の厚さが厚さ方向前後に突出されてそれぞれ厚くされている。また、Ｃ字の両端の厚さが厚くされている外周側部分５３におけるＣリング５０の外周面には外周面より突出する突部５４がそれぞれ形成されており、突部５４の厚さは外周側部分５３の厚さと等しくされている。
【００２６】
一方、中間部５１の厚さが厚くされている外周側部分５２には厚さ方向に貫通する貫通穴５５が形成されている。貫通穴５５は矩形状をなし、中心線ＣＬ上に位置して厚さが薄い内周側部分にわずかにかかるように形成されている。
【００２７】
厚さがそれぞれ厚くされた中間部５１の外周側部分５２及びＣ字の両端の外周側部分５３の内周がなす円弧は、中心Ｃ１を中心とする同一円周上に位置されている。図２Ａ中、ｄ３はこれら肉厚とされた外周側部分５２，５３の内径を示す。
【００２８】
上記のような形状を有するＣリング５０は樹脂材よりなるものとされる。Ｃリング５０はバレル４１の外周に形成された溝４４に着脱自在に装着されるものとなっており、Ｃリング５０を溝４４に装着することによりバレル４１の後端方向へのカップリング４３の移動を規制することができるものとなっている。
【００２９】
図３Ａは相手方のレセプタクル２０に接続されたコネクタ内蔵プラグ４０にＣリング５０が装着される様子を示したものである。バレル４１の外周にはカップリング４３が所定位置まで前進した際に露出する溝４４が形成されており、この溝４４にＣリング５０がはめ込まれる。図３Ｂ及び図４はＣリング５０がバレル４１の溝４４に装着された状態を示す。なお、図４Ｃ中、４５はカップリング４３を前方（バレル４１の前端方向）に押すコイルばねを示す。
【００３０】
Ｃリング５０の肉厚とされた外周側部分５２，５３の内径ｄ３はバレル４１の外径に対応する寸法とされており、これら外周側部分５２，５３は溝４４にはまり込むことなく、バレル４１の外周面上に位置される。カップリング４３はＣリング５０の中間部５１の肉厚とされた外周側部分５２によって後端が押さえられ、バレル４１の後端方向への移動が規制される。なお、Ｃリング５０はカップリング４３の外周面より外側に突出しないように（はみ出さないように）大きさが選定されている。
【００３１】
上述したように、この例ではＣリング５０によってバレル４１の後端方向へのカップリング４３の移動が規制されるものとなっている。よって、コネクタ内蔵プラグ４０が例えば携帯電話の基地局等、屋外で使用され、屋外での使用環境からコネクタ内蔵プラグ４０を保護し、またレセプタクルとの接続状態を確実に維持するために、前述したようにテープ巻きを行う際、誤ってカップリング４３を引っ張ってしまい、カップリング４３が所定位置からずれ、コネクタ内蔵プラグ４０が不完全な接続状態でテープ巻きを行ってしまうといったことを防止することができる。
【００３２】
以上説明したように、この例では従来用いていた結束バンドに替え、Ｃリング５０によってカップリング４３の移動を規制するものとなっており、樹脂材よりなり、図２に示したような形状を有するＣリング５０を用いることによって、以下に列記したような特徴、利点を有するものとなっている。
（１）結束バンドに比べ、容易に装着することができ、また取り外しも容易に行うことができる。
（２）中間部５１の外周側部分５２は肉厚となっているため、持ち易く、また両端間の間隔（Ｃ字の開放部の大きさ）は一般的なＣリングに比べ、図２に示したように広げてあるので、装着し易い。
（３）両端の外周側部分５３は肉厚となっており、さらに突部５４が一体形成されているため、両端を手で容易に押し広げることができ、取り外す際も手で容易に取り外すことができる。
（４）樹脂材よりなるため、軽く、例えば高所作業時に誤って落としてしまって人に当たったとしても危険度は極めて小さく、安全である。
（５）樹脂製のため、安価に生産することができる。
（６）肉厚とされた外周側部分５２，５３以外は肉薄であって、溝４４に入れ易く、また所要の弾性も得ることができる。
（７）肉厚の外周側部分５２によってカップリング４３のガタツキを抑えることができる。
（８）中間部５１は幅広となっているため、その分、強度を向上させることができる。
（９）中心軸ＣＬを回転軸として２回対称性を有し、裏表がないため、向き（裏表）を気にすることなく、容易に装着することができる。
（１０）貫通穴５５を有するため、取り外す際、ドライバなどの先端を貫通穴５５に挿入することによって簡単に取り外すこともできる。
【００３３】
以上、Ｃリングを備えるこの発明によるコネクタ内蔵プラグについて説明したが、内蔵するコネクタは光コネクタに限るものではなく、例えば電気コネクタであってもよい。
【符号の説明】
【００３４】
１０    コネクタ内蔵プラグ          １１    バレル
１２    カップリング                １３    溝
１４    結束バンド                  １５    テープ
２０    レセプタクル                ３０    基地局
４０    コネクタ内蔵プラグ          ４１    バレル
４２    光コネクタ                  ４３    カップリング
４４    溝                          ４５    コイルばね
５０    Ｃリング                    ５１    中間部
５２，５３    外周側部分            ５４    突部
５５    貫通穴                      ６０    光ケーブル
【図１】
2017111228.tif 000003
【図２】
2017111228.tif 000004
【図３】
2017111228.tif 000005
【図４】
2017111228.tif 000006
【図５】
2017111228.tif 000007
【図６】
2017111228.tif 000008
【図７】
2017111228.tif 000009
【手続補正書】
【提出日】平成28年12月1日(2016.12.1)
【手続補正１】
【補正対象書類名】明細書
【補正対象項目名】００１４
【補正方法】変更
【補正の内容】
【００１４】
請求項１の発明によれば、筒状をなすバレル内にコネクタが内蔵され、バレルの前端側の外周に、バレルの軸心方向に移動可能とされてカップリングが取り付けられているコネクタ内蔵プラグは、バレルの外周に形成された溝に着脱自在に装着されてバレルの後端方向へのカップリングの移動を規制するＣリングを備え、Ｃリングは樹脂材よりなり、ＣリングのＣ字の中間部の外周側部分は厚さ方向前後に突出されて厚さが厚くされ、ＣリングのＣ字の両端の外周側部分はそれぞれ厚さ方向前後に突出されて厚さが厚くされ、Ｃリングの外周がなす円弧の中心は、Ｃリングの内周がなす円弧の中心に対し、前記中間部の中央方向にずらされ、Ｃリングは内周がなす円弧の中心と前記中間部の中央とを通る中心線を回転軸として２回対称性を有するものとされる。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
請求項２の発明では請求項１の発明において、前記中間部の外周側部分に、厚さ方向に貫通する貫通穴が形成されているものとされる。
請求項３の発明では請求項１又は２の発明において、コネクタは光コネクタとされる。
【手続補正６】
【補正対象書類名】特許請求の範囲
【補正対象項目名】全文
【補正方法】変更
【補正の内容】
【特許請求の範囲】
【請求項１】
筒状をなすバレル内にコネクタが内蔵され、前記バレルの前端側の外周に、前記バレルの軸心方向に移動可能とされてカップリングが取り付けられているコネクタ内蔵プラグであって、
前記バレルの外周に形成された溝に着脱自在に装着されて前記バレルの後端方向への前記カップリングの移動を規制するＣリングを備え、
前記Ｃリングは樹脂材よりなり、
前記ＣリングのＣ字の中間部の外周側部分は厚さ方向前後に突出されて厚さが厚くされ、
前記ＣリングのＣ字の両端の外周側部分はそれぞれ厚さ方向前後に突出されて厚さが厚くされ、
前記Ｃリングの外周がなす円弧の中心は、前記Ｃリングの内周がなす円弧の中心に対し、前記中間部の中央方向にずらされており、
前記Ｃリングは内周がなす円弧の中心と前記中間部の中央とを通る中心線を回転軸として２回対称性を有することを特徴とするコネクタ内蔵プラグ。
【請求項２】
請求項１記載のコネクタ内蔵プラグにおいて、
前記中間部の外周側部分に、厚さ方向に貫通する貫通穴が形成されていることを特徴とするコネクタ内蔵プラグ。
【請求項３】
請求項１又は２記載のコネクタ内蔵プラグにおいて、
前記コネクタは光コネクタであることを特徴とするコネクタ内蔵プラグ。